(57)【特許請求の範囲】
【請求項１】
容器内の内容物を入側開口部、注出経路および出側開口部を通して吐出させる注出筒を有し、容器の口頚部に固定保持されるキャップ本体と、該キャップ本体に着脱自在に保持される蓋体とを備えた容器用注出キャップであって、
前記キャップ本体に、下方へ向かうスライドにて容器内から注出筒の注出経路に至るまでの流路を開通させて内容物の流通を可能とする一方、上方へ向かうスライドにて容器内から注出筒の注出経路に至るまでの流路を遮断して内容物の流通を不能とする中栓を配設してなり、該中栓は、該蓋体を閉じると同時に容器内から注出筒の注出経路に至るまでの流路を遮断するものであり、
前記中栓は、容器内の内容物を通過させる連通孔を残して前記注出筒の入側開口部を覆い隠す隔壁と、前記キャップ本体の天板を通してスライド可能に垂下保持され、その下方へのスライドにて該隔壁の連通孔を開放して該注出筒への内容物の流通を可能とするが、その上方へのスライドにて該隔壁の連通孔を閉塞させて該注出筒への内容物の流通を遮断するシャットオフピンとを備え、
前記キャップ本体の天板に、該シャットオフピンの後端部に揺動可能に連係するとともに、その回動を誘導して該シャットオフピンを上下にスライドさせる操作片を設け、
前記操作片は、枢軸を支点にして回動可能であり、かつ、蓋体を閉じるときに該蓋体に設けられた中足によって押圧されて、前記シャットオフピンを上方に向けてスライドさせる屈曲片からなることを特徴とする容器用注出キャップ。
【請求項２】
前記蓋体が、ヒンジを介して前記キャップ本体に回動可能の連結されたものであることを特徴とする請求項１に記載した容器用注出キャップ。
【発明の詳細な説明】
【技術分野】
【０００１】
本発明は、容器の口頚部に装着され、その先端部に設けられた注出筒を通して容器内の内容物を吐出させるのに好適な容器用注出キャップ（ヒンジキャップやオーバーキャップ等）に関するものである。
【背景技術】
【０００２】
シャンプーやリンス等の日用品や洗剤、化粧料あるいは消毒液等の各種内容物を充填する容器では、片手によってキャップを取り外して容器内の内容物を簡単に吐出させることができるようにヒンジタイプの蓋体が備えられたキャップあるいはキャップ本体にアンダーカット嵌合によって固定保持される蓋体が備えられたオーバーキャップ等が多用されている。
【０００３】
かかるキャップは、蓋体をキャップ本体に合致させる閉栓時には、蓋体の裏側に設けられた筒体がキャップ本体に設けられた注出筒に嵌合し、その嵌合が解除されない限りは内容物を排出することができないようになっている。
【０００４】
ところで、この種のキャップは、例えば、容器をバックに入れて持ち歩くときや容器を踏みつけたとき等、蓋体あるいは容器本体に意に反する大きな外力が加わった場合に、蓋体とキャップ本体との嵌合状態が解除されてしまい内容物が漏れ出てしまう不具合があった。また、蓋体とキャップ本体との嵌合状態は、子供であっても比較的容易に解除することが可能であって悪戯等による内容物の漏れ出しを確実に防止できるとはいえない。
【０００５】
このため、最近では、意に反する漏れの防止を図ったものやチャイルドプルーフ機能を追加して内容物の漏れ出し（吐出）を回避したものが数多く見られるようになってきており、この点に関する先行技術としては、例えば、特許文献１に開示されたヒンジキャップが知られている。
【先行技術文献】
【特許文献】
【０００６】
【特許文献１】特開２００３−６３５５３号公報
【０００７】
上記文献に開示されたヒンジキャップは、蓋体に、内側凸部を有し蓋体の外側壁に沿ってスライド可能なノブを設け、キャップ本体に、ノブのスライドにて内側凸部に係合して蓋体の開放する向きへの回動を阻止する凹部を設けた構造からなるものであって、これによれば、蓋体のロックとその解除を片手でもって簡単かつ、確実に行うことができるとともに、非ロック状態を維持することによって通常のヒンジキャップと同様の使用が可能であり、しかも、ロック機構の付加による漏れ防止対策およびチャイルドプルーフ機能をも付与することができることから、この種のキャップとしては、極めて有用なキャップであるとされていた。
【０００８】
しかしながら、かかるヒンジキャップは、蓋体をロック状態に維持するノブが蓋体の外表面に設けられており、該ノブが意に反してスライドしてしまうことがないとはいえないとともに、蓋体を閉じたのちにノブをロック方向へスライドさせるのを忘れてしまうことも懸念されており、未だ改善の余地が残されている。
【発明の概要】
【発明が解決しようとする課題】
【０００９】
本発明の課題は、悪戯や蓋体の意に反する開放に伴う内容物の誤吐出を抑制できる容器用注出キャップを提案するところにある。
【課題を解決するための手段】
【００１０】
本発明は、容器内の内容物を入側開口部、注出経路および出側開口部を通して吐出させる注出筒を有し、容器の口頚部に固定保持されるキャップ本体と、該キャップ本体に着脱自在に保持される蓋体とを備えた容器用注出キャップであって、前記キャップ本体に、下方へ向かうスライドにて容器内から注出筒の注出経路に至るまでの流路を開通させて内容物の流通を可能とする一方、上方へ向かうスライドにて容器内から注出筒の注出経路に至るまでの流路を遮断して内容物の流通を不能とする中栓を配設してなり、該中栓は、該蓋体を閉じると同時に容器内から注出筒の注出経路に至るまでの流路を遮断するものであり、中栓は、容器内の内容物を通過させる連通孔を残して前記注出筒の入側開口部を覆い隠す隔壁と、前記キャップ本体の天板を通してスライド可能に垂下保持され、その下方へのスライドにて該隔壁の連通孔を開放して該注出筒への内容物の流通を可能とするが、その上方へのスライドにて該隔壁の連通孔を閉塞させて該注出筒への内容物の流通を遮断するシャットオフピンとを備え、該キャップ本体の天板に、該シャットオフピンの後端部に揺動可能に連係するとともに、その回動を誘導して該シャットオフピンを上下にスライドさせる操作片を設け、該操作片は、枢軸を支点にして回動可能であり、かつ、蓋体を閉じるときに該蓋体に設けられた中足によって押圧されて、シャットオフピンを上方に向けてスライドさせる屈曲片からなることを特徴とする容器用注出キャップである。
【００１２】
蓋体としては、蓋体本体の内側に環状の中足を設け、この中足をキャップ本体にアンダーカット嵌合させて固定保持するオーバーキャップやヒンジを介して回動可能に保持されるヒンジキャップが適用される。
【発明の効果】
【００１３】
上記の構成からなる本発明の注出キャップによれば、蓋体が開放された状態にあってもキャップ本体に設けられた中栓を操作しない限り内容物を注出筒を通して吐出させることはできず、悪戯や意に反する内容物の誤吐出を抑制することができる。
【００１４】
また、本発明の注出キャップによれば、操作片を回動させてシャットオフピンを下方に向けてスライドさせるだけの簡単な操作で内容物の吐出が可能となる。
【００１５】
さらに、本発明の注出キャップによれば、内容物が吐出可能な状態におかれたままにあっても、蓋体を閉じると同時に、中栓の連通孔を閉塞させることができるため、その後に蓋体が意に反して開放することがあっても、中栓のシャットオフピンを下方にスライドさせない限り内容物を注出することができず、内容物の誤吐出は規制されることになる。
【図面の簡単な説明】
【００１６】
【図１】本発明に従う容器用注出キャップの実施の形態を模式的に示した図であり、（ａ）は平面図、（ｂ）は側面を断面で示した図、（ｃ）は底面図である。
【図２】図１に示した注出キャップにおいて、蓋体を開放した状態で示した図である。
【図３】図１に示した注出キャップにおいて、内容物の吐出可能な状態を示した図である。
【図４】（ａ）は図２の要部拡大図であり、（ｂ）は図３の要部拡大図である。
【図５】図１に示した注出キャップにおいて、蓋体を閉じる寸前の状態を示した図である。
【発明を実施するための形態】
【００１７】
以下、図面を用いて本発明をより具体的に説明する。
図１（ａ）〜（ｃ）は、本発明に従う容器用注出キャップ（合成樹脂等で成形される）を容器の口頚部に装着した状態で模式的に示した図であり、（ａ）は平面図（蓋体は表示せず）、（ｂ）は側面を断面表示した図、さらに（ｃ）は底面図である。
【００１８】
図における符号１は、内容物を充填する容器である。容器１としては、容器１の胴体部分を押し潰して内容物を注出するスクイズ容器(合成樹脂)を用いることができるが、その他の容器を適用することも可能であり、本発明では、スクイズ容器に限定されることはない。また、容器の形状については充填すべき内容物の種類や用途等に応じて適宜変更することが可能であり、ここでは、容器１の全体形状については省略している。
【００１９】
また、符号２は、容器用注出キャップの主要構成部分をなすキャップ本体である。このキャップ本体２は、容器１の口頚部１ａを取り囲んでその外周面のねじ部１ｂに係合可能なねじ部を有する周壁２ａと、この周壁２ａの上端に一体連結して容器１の口頚部１ａの開口部分を閉塞する天板２ｂと、この天板２ｂにおいて起立するとともに入側開口部２ｃ、注出経路２ｄおよび出側開口部２ｅを通して容器１内の内容物を注出する注出筒２ｆから構成されている。なお、キャップ本体２は、アンダーカットの如き係合手段によって容器１の口頚部１ａに固定保持されるものであってもよい。
【００２０】
また、符号３は、蓋体である。この蓋体３は、キャップ本体２の背面側でヒンジｈ１、ｈ２、ｈ３を介して該キャップ本体２に一体連結しており、このヒンジｈ１、ｈ２、ｈ３によって開閉可能に保持されている。蓋体３は、その下端面がキャップ本体２の上面縁部（天板２ｂの縁部）に合わさりアンダーカット係合することによって閉姿勢に保持されるものであって、キャップ本体２の天板２ｂに設けられた注出筒２ｆはその内側空間に格納される。
【００２１】
蓋体３としては、キャップ本体２に嵌合可能な周壁３ａと、この周壁３ａの上端に一体連結して下向きに開放された内側空間を形成する天面壁３ｂと、この天面壁３ｂの裏面中央部に設けられ、蓋体３の閉姿勢で注出筒２ｆの注出経路２ｄに嵌合して該注出経路２ｄを閉塞する筒体３ｃから構成されるものが用いられる。なお、ヒンジｈ２とヒンジｈ３によって蓋体３およびキャップ本体２に連結される部材は、蓋体３の設定開放角度を境にして実際の開放角度が設定開放角度よりも小さい場合には、蓋体３をキャップ本体２に押し付ける力を発生させる一方、実際の開放角度が設定開放角度よりも大きくなった場合に蓋体３を背面側へ反りかえらせる力を生じさせる弾性片であって、この弾性片は任意に設けられる。蓋体３としては、ここでは、ヒンジタイプの蓋体を例として説明したが、周壁３ａの内側に環状の中足を別途に設け、該中足の下端部をキャップ本体２にアンダーカット嵌合させて蓋体３を固定するオーバーキャップあるいはその他のキャップを用いることも可能であり、本発明では図示の蓋体３に限定されることはない。
【００２２】
また、符号４は、蓋体３の前面側（ヒンジｈ１の対向位置）で、周壁３ａに一体連結する摘み片である。この摘み片４に指先等を引掛け、蓋体３をヒンジｈ１を起点にして引き起こすことによって該蓋体３は開放される。
【００２３】
符号５は、キャップ本体２の内側に設けられた中栓である。この中栓５は、容器１内の内容物を通過させる連通孔ｋを残して注出筒２ｆの入側開口部２ｃを覆い隠す隔壁５ａと、キャップ本体２の天板２ａを貫通してスライド可能に垂下保持され、その下方へのスライドにて隔壁５ａの連通孔ｋを開放して注出筒２ｆへの内容物の注出を可能とし、その上方へのスライドにて隔壁５ａの連通孔ｋを閉塞させて注出筒２ｆへの内容物の流通を遮断するシャットオフピン５ｂと、キャップ本体２の天板２ｂの上に設けられた操作片５ｃから構成されている。
【００２４】
操作片５ｃは、長手方向の中央部で枢軸ｓを介して支持され、該枢軸ｓを支点に回動可能な「く」の字状の断面形状をなす屈曲片（第１の舌片５ｃ１、第２の舌片５ｃ２）からなっている。
【００２５】
操作片５ｃの一端（舌片５ｃ２）には切欠き部５ｄが形成されており、この切欠き部５ｄにシャットオフピン５ｂの後端部（上端部）を揺動可能に連係させ、枢軸ｓを支点に操作片５ｃを回動（枢軸ｓを支点とする引き起こし、押し倒し）させることによってシャットオフピン５ｂを上下にスライドさせることができるようになっている。
【００２６】
シャットオフピン５ｂは、その本体部分（棒状体）５ｂ１の下端に第１の環状シール部５ｂ２を有し、その上端に第２の環状シール部５ｂ３を有している。第１の環状シール部５ｂ２は、上部が拡大された円錐台状のものが適用され、第２の環状シール部５ｂ３は、下部が拡大された円錐台状のものが適用される。
【００２７】
シャットオフピン５ｂの第２の環状シール部５ｂ３をキャップ本体２の天板２ｂに垂下保持された筒体２ｇ内に摺動可能に位置させることによって天板２ｂに設けられた孔（シャットオフピン５ｂの挿通用の孔）からの液漏れを防止するとともに、第１環状シール部５ｂ２を隔壁５ａに形成された座部５ｅに適合させることによって容器１内の内容物の、注出筒２ｆへの流通を遮断する。
【００２８】
図２は、本発明に従う容器用注出キャップにつき、蓋体３を開放した状態を示した図であり、図３は、内容物の吐出を可能とした状態を示した図であり、図４（ａ）（ｂ）は、図２、図３の要部をそれぞれ拡大して示した図であり、さらに、図５は、蓋体３を閉じる寸前の状態を示した図である。
【００２９】
蓋体３を開放した図２に示すような状態では、シャットオフピン５ｂは上方にスライドしていて第１の環状シール部５ｂ２が中栓５の座部５ｅに適合しており、容器１内の内容物の、注出筒２ｆへの流通が遮断されているため、単に蓋体３を開放しただけでは内容物は吐出することがない。
【００３０】
容器１内の内容物を吐出させるには、図３に示すように、操作片５ｃを、枢軸ｓを支点にヒンジｈ１側に回動させて舌片５ｃ２を押し倒せばよい。舌片５ｃ２の押し倒しに伴いシャットオフピン５ｂは下方へとスライドし、第１の環状シール部５ｂ２が座部５ｅから離れ、これにより隔壁５ａの連通孔ｋは開放されることとなり、容器１内の内容物の、注出筒２ｆへの流通が可能となる。内容物の吐出に際しては容器１を傾動姿勢あるいは反転姿勢に保持する。
【００３１】
内容物の吐出を終えた後においては、そのまま蓋体３を閉じればよく、これにより、図５に示すように、蓋体３の天面壁３ｂの裏面に設けられた中足３ｄにより操作片５ｃが押圧され、それに伴い操作片５ｃはキャップ本体２の前面側へと回動する。そして操作片５ｃの回動により舌片５ｃ１は押し倒され、シャットオフピン５ｂが上方へ向けてスライドして連通孔ｋが閉塞される。
【００３２】
シャットオフピン５ｂの上方へのスライドにより、第１の環状シール部５ｂ２は座部５ｅに適合して容器１内の内容物の、注出筒２ｆへの流通が遮断され、それ以降において、蓋体３が開放されたとしてもシャットオフピン５ｂを下方に向けてスライドさせない限り内容物を注出することはできず、従って、内容物の誤吐出は抑制されることになる。
【００３３】
操作片５ｃは「く」の字状断面をなす屈曲片を利用した場合について説明したが、梃子の原理を利用してシャットオフピン５ｂを上下にスライドできるものであればどのような形状のものでも適用可能であり、図示のものに限定されない。
【００３４】
また、操作片５ｃの配置位置に関しては、キャップ本体２の天板２ｂのどの部位に設定してもかまわない。とくに、ヒンジｈの直近に操作片５ｃを配置した場合にあっては、内容物の注出に際して操作片５ｃが邪魔になるのを回避することが可能であり、内容物のスムーズな吐出が可能となる。
【００３５】
隔壁５ａについては、注出筒２ｆの入側開口部２ｅを覆い隠す円形のカバー体５ａ１と、このカバー体５ａ１に一体連結してその内側に座部５ｅを形成する筒状部材５ａ２にて構成されたものを適用することができるが、隔壁５ａの形状は、シャットオフピン５ｂのサイズや形状に応じて任意に変更することができるものであり、図示のものに限定されることはない。
【産業上の利用可能性】
【００３６】
本発明によれば、悪戯や意に反する蓋体の開放による内容物の誤吐出を抑制し得る容器用注出キャップが提供できる。
【符号の説明】
【００３７】
１      容器
１ａ    口頚部
１ｂ    ねじ部
２      キャップ本体
２ａ    周壁
２ｂ    天板
２ｃ    入側開口部
２ｄ    注出経路
２ｅ    出側開口部
２ｆ    注出筒
２ｇ    筒体
３      蓋体
３ａ    周壁
３ｂ    天面壁
３ｃ    筒体
３ｄ    中足
４      摘み片
５      中栓
５ａ    隔壁
５ｂ    シャットオフピン
５ｃ    操作片
５ｄ    切欠き部
５ｅ    座部
ｈ１、ｈ２、ｈ３      ヒンジ
ｋ      連通孔
ｓ      枢軸
【図１】
0006374299.tif 000002
【図２】
0006374299.tif 000003
【図３】
0006374299.tif 000004
【図４】
0006374299.tif 000005
【図５】
0006374299.tif 000006